(57)【要約】      （修正有）【課題】使用者に余計な負担をかけることなく簡単な構造で収容された物品の揺れを防ぐことができるリュックサックを提供する。【解決手段】荷物を収容する収容部と、前記収容部における使用者の背中に当接する面に取付けられた肩ベルトとを備えたリュックサックにおいて、前記収容部に収容された荷物を、当該収容部内で固定して保持する荷物保持手段である。帯状体１０を備えたリュックサックとした。【選択図】図４
0003161935.tif 000002
【実用新案登録請求の範囲】
【請求項１】
物品を収容する収容部と、
前記収容部における使用者の背中に当接する面に取付けられた肩ベルトと、を備えたリュックサックにおいて、
前記収容部に収容された物品を、当該収容部内で固定して保持する物品保持手段を備えることを特徴とするリュックサック。
【請求項２】
前記物品保持手段は、
一対の係止具を備える帯状体で構成され、前記一対の係止具のうち、第１の係止具を有する前記帯状体の一端側は、前記肩ベルトの上側取付位置の裏面側に所定の長さで貼付固定され、第２の係止具を有する前記帯状体の他端側は、長さを調節可能とした自由端であり、
前記収容部に収容されている物品の容量に応じて、前記帯状体の他端側の長さを調整して前記第１の係止具と第２の係止具とを連結することにより、前記収容部に収容した物品を使用者の背中に押し付けるように保持可能としたことを特徴とする請求項１に記載のリュックサック。
【請求項３】
前記帯状体は、所定間隔をあけて平行に取り付けられた左右一対の帯状体として、前記収容部の内部に配置されていることを特徴とする請求項２に記載のリュックサック。
【請求項４】
前記肩ベルトは、所定間隔をあけて取り付けられた左右一対のベルトからなり、使用者の体形に合わせて前記左右一対のベルト同士の間隔を調整可能とした肩ベルト調整手段を備えることを特徴とする請求項１〜３のいずれか１項に記載のリュックサック。
【考案の詳細な説明】
【技術分野】
【０００１】
本考案は、リュックサックに関し、特に、使用者が背負って歩いたときに、収容した物品等の揺れが生じることがないリュックサックに関するものである。
【背景技術】
【０００２】
従来、使用者が物品等を背中に背負って移動するのに好適な運搬手段としてリュックサックが広く用いられている。このリュックサックは、使用者の両手が自由に使用でき、安全性が高いため、登山やハイキング等で主に使用されることが多い。
【０００３】
このようなリュックサックでは、物品等を収容した状態で使用者が背負って歩行や軽いランニング等を行った場合、収容された物品等がリュックサックの収容部で揺れてしまい、その揺れが肩ベルトを介して使用者の肩に負荷を生じさせ、長時間の使用することで、使用者が疲れ易くなる原因となっていた。
【０００４】
そこで、物品の収容部を予め小分けにして複数の収容部を設け、この複数の収容部に異なる種類の物品等を予め分別して収容することで、収容された物品等の揺れを少なくすることができるリュックサックが開示されている（例えば、特許文献１に記載）。
【先行技術文献】
【特許文献】
【０００５】
【特許文献１】特開２００９−１８９４３０号公報
【考案の概要】
【考案が解決しようとする課題】
【０００６】
ところが、上記特許文献１に記載のリュックサックでは、小分けされた複数の収容部に、使用者が予め大きさ、形状及び重量の異なる複数の物品を効率よく分別して収容する必要があるため、使用者にとって手間がかかり物品の収容に煩わしさを感じることがあった。
【０００７】
さらに、使用者が子供などの場合、複数の物品を効率よく分別して収容することができず、逆に収容部全体のバランスが崩れてしまう虞がある。また、複数の収容部に小分けしたため、収容される物品の大きさや形状が制限されてしまう。
【０００８】
この考案は、上記課題を解決するためになされたもので、使用者に余計な負担をかけることなく簡単な構造で収容された物品の揺れを防ぐことができるリュックサックを提供することを目的とする。
【課題を解決するための手段】
【０００９】
請求項１に記載の考案は、物品を収容する収容部と、前記収容部における使用者の背中に当接する面に取付けられた肩ベルトと、を備えたリュックサックにおいて、前記収容部に収容された物品を、当該収容部内で固定して保持する物品保持手段を備えることを特徴とする。
【００１０】
請求項２に記載の考案は、請求項１に記載の考案において、前記物品保持手段は、一対の係止具を備える帯状体で構成され、前記一対の係止具のうち、第１の係止具を有する前記帯状体の一端側は、前記肩ベルトの上側取付位置の裏面側に所定の長さで貼付固定され、第２の係止具を有する前記帯状体の他端側は、長さを調節可能とした自由端であり、前記収容部に収容されている物品の容量に応じて、前記帯状体の他端側の長さを調整して前記第１の係止具と第２の係止具とを連結することにより、前記収容部に収容した物品を使用者の背中に押し付けるように保持可能としたことを特徴とする。
【００１１】
請求項３に記載の考案は、請求項２に記載の考案において、前記帯状体は、所定間隔をあけて平行に取り付けられた左右一対の帯状体として、前記収容部の内部に配置されていることを特徴とする。
【００１２】
請求項４に記載の考案は、請求項１〜３のいずれか１項に記載の考案において、前記肩ベルトは、所定間隔をあけて取り付けられた左右一対のベルトからなり、使用者の体形に合わせて前記左右一対のベルト同士の間隔を調整可能とした肩ベルト調整手段を備えることを特徴とする。
【考案の効果】
【００１３】
請求項１に記載の考案によれば、物品を収容する収容部と、前記収容部における使用者の背中に当接する面に取付けられた肩ベルトと、を備えたリュックサックにおいて、前記収容部に収容された物品を、当該収容部内で固定して保持する物品保持手段を備えている。このように、リュックサックの収容部に物品を固定して保持することで、使用者が当該リュックサックを背負って歩行や軽いランニング等を行ったときの、収容部内での物品の揺れを抑えることができるので、使用者の肩への負担を少なくすることができる。
【００１４】
請求項２に記載の考案によれば、前記物品保持手段は、一対の係止具を備える帯状体で構成され、前記一対の係止具のうち、第１の係止具を有する前記帯状体の一端側は、前記肩ベルトの上側取付位置の裏面側に所定の長さで貼付固定され、第２の係止具を有する前記帯状体の他端側は、長さを調節可能とした自由端であり、前記収容部に収容されている物品の容量に応じて、前記帯状体の他端側の長さを調整して前記第１の係止具と第２の係止具とを連結することにより、前記収容部に収容した物品を使用者の背中に押し付けるように保持可能としている。
【００１５】
すなわち、リュックサックの収容部に収容されている物品の容量に応じて、物品保持手段としての帯状体の他端側の自由端の長さを調節して、収容部に収容した物品を使用者の背中に押し付けるように一対の第１の係止具と第２の係止具とを連結して保持可能としている。これにより、物品の容量が変化した場合でも、収容部の物品を固定して保持できるので、収容部内での物品の揺れを抑えることができる。
【００１６】
請求項３に記載の考案によれば、前記帯状体は、所定間隔をあけて平行に取り付けられた左右一対の帯状体として、前記収容部の内部に配置されているため、この左右一対の帯状体により、収容部に収容した物品を使用者の背中に押し付けるように保持可能となり、収容部内での物品の揺れを確実に抑えることができる。
【００１７】
請求項４に記載の考案によれば、前記肩ベルトは、所定間隔をあけて取り付けられた左右一対のベルトからなり、使用者の体形に合わせて前記左右一対のベルト同士の間隔を調整可能とした肩ベルト調整手段を備えるため、例えば、小柄な使用者が本考案におけるリュックサックを使用した場合でも、使用者の肩幅に合わせて左右一対のベルトの間隔を調整できるため、当該リュックサックを使用者の背中によりフィットさせることができる。
【図面の簡単な説明】
【００１８】
【図１】この考案の実施形態におけるリュックサックの使用者の背中に当接する面の構成を示す正面図である。
【図２】この考案の実施形態におけるリュックサックの収容部の構成を示す正面図である。
【図３】この考案の実施形態におけるリュックサックの側面図である。
【図４】この考案の実施形態における物品保持手段である帯状体の構成を説明する図である。
【図５】この考案の実施形態におけるリュックサックの物品の収容を示す側断面図である。
【図６】この考案の実施形態におけるリュックサックの肩ベルト調整手段の構成及び取り付けを説明する図である。
【考案を実施するための形態】
【００１９】
本考案は、物品を収容する収容部と、収容部における使用者の背中に当接する面に取付けられた肩ベルトと、を備えたリュックサックにおいて、収容部に収容された物品を、当該収容部内で固定して保持する物品保持手段を備えたものである。
【００２０】
特に、物品保持手段は、一対の係止具を備える帯状体で構成され、一対の係止具のうち、第１の係止具を有する帯状体の一端側は、肩ベルトの上側取付位置の裏面側に所定の長さで貼付固定され、第２の係止具を有する帯状体の他端側は、長さを調節可能とした自由端であり、収容部に収容されている物品の容量に応じて、帯状体の他端側の長さを調整して第１の係止具と第２の係止具とを連結することにより、収容部に収容した物品を使用者の背中に押し付けるように保持可能としている。
【００２１】
さらに、物品保持手段を構成する帯状体は、所定間隔をあけて平行に取り付けられた左右一対の帯状体として、収容部の内部に配置されている。このように、リュックサックの収容部に物品を固定して保持する物品保持手段を設け、この保持手段は、一対の係止具を備え、収容部の内部に所定間隔をあけて平行に取り付けられた左右一対帯状体で構成されている。これにより、収容部の物品の容量の変化に応じて収容部の物品を使用者の背中に押し付けるように安定して保持することができる。
【００２２】
このような物品保持手段により、収容部の物品を固定して保持することで、使用者が当該リュックサックを背負って歩行や軽いランニング等を行ったときの、収容部内での物品の揺れを抑えることができ、これにより、使用者の肩への負担を少なくすることができる。また、収容部の物品は、使用者の背中に押し付けるように保持されるので使用者の背中と一体化して物品の重さを感じないため、長時間背負っても疲れないリュックサックとすることができる。
【００２３】
また、肩ベルトは、所定間隔をあけて取り付けられた左右一対のベルトからなり、使用者の体形に合わせて左右一対のベルト同士の間隔を調整可能とした肩ベルト調整手段を備えている。このため、使用者の肩幅に合わせて左右一対のベルト同士の間隔を調整でき、使用者が当該リュックサックを背負った際に、肩ベルトを使用者の肩幅にフィットさせることができる。
【００２４】
本考案におけるリュックサックは、主にウォーキング、ハイキング、軽登山、日帰り登山等に用いられるものである。そのためリュックサックを形成する素材、布地等は、軽量で柔らかく強度があり腰が強いものが用いられる。
【実施例】
【００２５】
以下、本考案の実施例について図面を用いて詳細に説明する。
【００２６】
まず、図１〜図３を参照して、本実施例におけるリュックサックの構成について説明する。図１はリュックサック１の使用者の背中に当接する面の構成を示す正面図である。図２はリュックサック１の収容部の構成を示す正面図である。図３はリュックサック１の側面図である。
【００２７】
図１に示すように、リュックサック１は、物品を収容する収容部２と、収容部２の遊技者の背中との当接面２ａに設けられた左右一対の肩ベルト５Ｒ，５Ｌで構成されている。肩ベルト５Ｒ，５Ｌには、使用者の体形に合わせて肩ベルト５Ｒ，５Ｌの長さを調節可能とした肩ベルトアジャスター５ａが設けられている。
【００２８】
さらに、本考案の肩ベルト５Ｒ，５Ｌには、使用者の体形に合わせて左右一対のベルト同士の間隔を調整可能とした肩ベルト調整手段であるショルダーストラップ６が設けられている。なお、ショルダーストラップ６の詳細については後述する。
【００２９】
図２及び図３に示すように、収容部２は、当接面２ａ、主収容部２ｂ、外カバー２ｃ、支持底部２ｄから構成されている。主収容部２ｂと外カバー２ｃとは、線ファスナー８により開閉自在とされており、線ファスナー８を開放することで、主収容部２ｂに物品を収容可能としている。また、収容部２の外カバー２ｃの外側には、携帯電話などの小物を収容可能な外部ポケット３が設けられている。
【００３０】
また、収容部２を構成する素材としては、使用者の背中に当接する当接面２ａは、例えば、通気性がよく弾力性があり、比較的型崩れしにくい素材（例えば、低反発ウレタン）が使用され、主収容部２ｂ、外カバー２ｃ及び支持底部２ｄは、防水処理を施した所定の強度を持つ軽量の素材（例えば、布、革、化学繊維など）が使用される。
【００３１】
さらに、主収容部２ｂには、物品保持手段としての帯状体１０が、所定間隔をあけて平行に取り付けられた左右一対の帯状体１０として、収容部２の内部に配置されている。この帯状体１０については、詳細は後述するが、収容部の物品を使用者の背中側に押し付けるように固定して保持するためのものである。
【００３２】
以下、図４を用いて、上記物品保持手段として収容部２の内部に配置されている帯状体１０の構成を説明する。図４は物品保持手段である帯状体１０の構成を説明する図である。
【００３３】
図４に示すように、物品保持手段である帯状体１０は、左右一対の帯状体１０Ｌ，１０Ｒからなり、この帯状体１０Ｌ，１０Ｒは、連結ベルト１３ａ〜１３ｅ及び底部ベルト１４により所定間隔を保って平行に保たれている。帯状体１０Ｌ，１０Ｒの一端側には、第１の係止具である雌部１１ａ，１２ａが設けられている。なお、以下の説明では、帯状体１０Ｌ，１０Ｒの構成を、一対の係止具のうちの雌部１１ａ，１２ａが設けられた一端側から、一対の係止具のうちの雄部１１ｂ，１２ｂが設けられた他端側へ順を追って説明する。
【００３４】
肩ベルト５Ｒ，５Ｌの上側取付位置の裏面側の位置には、連結ベルト１３ａが配置されており、帯状体１０Ｌ，１０Ｒと連結されている。次いで、連結ベルト１３ｂ及び連結ベルト１３ｃの順で、帯状体１０Ｌ，１０Ｒが所定間隔を保って平行になるように帯状体１０Ｌ，１０Ｒと連結されている。
【００３５】
また、連結ベルト１３ａ及び連結ベルト１３ｂ及び連結ベルト１３ａと連結ベルト１３ｂとの間の帯状体１０Ｌ，１０Ｒは、主収容部２ｂの内面２ｅに貼付固定されている。
【００３６】
なお、主収容部２ｂの内面２ｅへの連結ベルト１３ａ及び連結ベルト１３ｂ、連結ベルト１３ａと連結ベルト１３ｂとの間の帯状体１０Ｌ，１０Ｒの貼付固定は、例えば、主収容部２ｂの内面２ｅに連結ベルト１３ａ、連結ベルト１３ｂ及び連結ベルト１３ａ，１３ｂ間の帯状体１０Ｌ，１０Ｒを縫い合わせて貼付固定してもよいし、また、面ファスナーなどを用いて、主収容部２ｂの内面２ｅと連結ベルト１３ａ、連結ベルト１３ｂ及び連結ベルト１３ａ，１３ｂ間の帯状体１０Ｌ，１０Ｒとを着脱自在に貼付固定してもよい。
【００３７】
リュックサック１の支持底部２ｄの底面の形状に合わせて、一枚のロ字状に形成された底部ベルト１４が、帯状体１０Ｌ，１０Ｒと連結されている。また、底部ベルト１４は、収容部２に満杯に物品が収容された場合に、この物品の重量を支えるために、底部ベルト１４の中央は支持ベルト１４ａで連結されて強化されている。
【００３８】
帯状体１０Ｌ，１０Ｒの底部ベルト１４よりも他端側には、連結ベルト１３ｄが帯状体１０Ｌ，１０Ｒが平行になるように所定間隔を保って帯状体１０Ｌ，１０Ｒと連結されている。
【００３９】
帯状体１０Ｌ，１０Ｒの連結ベルト１３ｄよりも他端側には、連結ベルト１３ｅが設けられている。この連結ベルト１３ｅは、連結ベルト１３ｄと帯状体１０Ｌ，１０Ｒの他端側との間を移動自在としている。このため、連結ベルト１３ｅの両端を輪状に形成して、この輪状に形成にされた連結ベルト１３ｅの両端を帯状体１０Ｌ，１０Ｒが連通するようにしている。この連結ベルト１３ｅは、帯状体１０の中の物品を包むように固定して保持する場合に、物品の容量や形状に合わせて、物品をバランス良く主収容部２ｂの内面２ｅに押し付けて保持可能とするために、所定の間隔で移動自在としている。
【００４０】
帯状体１０Ｌ，１０Ｒの他端側には、雌雄一対の第２の係止具である雄部１１ｂ，１２ｂがそれぞれ設けられている。また、雄部１１ｂ，１２ｂの基部には、帯状体１０Ｌ，１０Ｒの長さを調節可能とした調整部１１ｃ，１２ｃがそれぞれ設けられている。
【００４１】
すなわち、本考案においては、第１の係止具及び第２の係止具として雌雄一対の合成樹脂製のテープアジャスターバックルが用いられており、帯状体１０Ｌ，１０Ｒの一端側に雌部１１ａ，１２ａが固定されて連結されている。一方、雄部１１ｂ，１２ｂは、帯状体１０Ｌ，１０Ｒの他端側に、調整部１１ｃ，１２ｃを介して、帯状体１０Ｌ，１０Ｒの長さを調節可能として連結されている。
【００４２】
そして、帯状体１０Ｌ，１０Ｒの内側に物品を包み込んで、雌部１１ａ，１２ａと雄部１１ｂ，１２ｂとを連結することで、帯状体１０により、収容部２に収容された物品が固定して保持される。
【００４３】
このとき、帯状体１０Ｌ，１０Ｒの他端側の調整ベルト１０ａ，１０ｂを外側に引っ張ることで、帯状体１０Ｌ，１０Ｒの長さを短くするように調整できる。これにより、帯状体１０Ｌ，１０Ｒによって包み込まれた物品は緊迫されて、主収容部２ｂの内面２ｅ、つまり、リュックサック１を背負った使用者の背中に押し付けられるようにして固定される。
【００４４】
すなわち、本考案における物品保持手段としての帯状体１０は、収容部２に収容されている物品の容量に応じて、第１の係止具である雌部１１ａ，１２ａと第２の係止具である雄部１１ｂ，１２ｂとを連結した後に、帯状体１０の長さを調整することにより、収容部２に収容した物品を使用者の背中に押し付けるように保持可能としている。
【００４５】
さらに、帯状体１０は連結ベルト１３ａ〜１３ｅ及び底部ベルト１４により所定間隔を保って平行に保たれている。これにより、帯状体１０を構成する左右一対の帯状体１０Ｌ，１０Ｒの捩れを防止することができ、収容部の物品を均等に使用者の背中に押し付けるように固定して保持することができる。また、連結ベルト１３ｅを帯状体１０Ｌ，１０Ｒの所定の間隔で移動自在とすることで、収容部の物品を使用者の背中に押し付けるように固定する場合に、連結ベルト１３ｅの最適の位置を決めることができる。
【００４６】
以下、図５を用いて、収容部２に収容された物品の容量に応じて物品が固定されて保持される状態を説明する。図５は図１のＡ−Ａにおけるリュックサック１の側断面図である。
【００４７】
図５（ａ）に示すように、リュックサック１の収容部２には、ほぼ満杯の容量で物品Ａ〜Ｅが収容されている。このような状態では、収容部２に収容されている物品Ａ〜Ｅは、物品保持手段である帯状体１０により、使用者の背中に一体となるように押し付けられて固定される。これにより、使用者の歩行などによる収容部２の物品Ａ〜Ｅの揺れの発生を低減している。
【００４８】
図５（ｂ）に示すように、リュックサック１の収容部２には、満杯の容量の約２／３の容量で物品Ａ〜Ｃが収容されている。このような状態では、収容部２に収容されている物品Ａ〜Ｃは、物品保持手段である帯状体１０の長さを調整することにより、使用者の背中に一体となるように押し付けられるようにして固定される。この場合は、収容部２の下部から物品が浮いた状態となる。すなわち、本考案の帯状体１０は、上述した図４に示すように、連結ベルト１３ａ及び連結ベルト１３ｂ及び連結ベルト１３ａと連結ベルト１３ｂとの間の帯状体１０Ｌ，１０Ｒの箇所しか主収容部２ｂの内面２ｅに貼付固定されていない。そのため、収容部に収容した物品の容量が変化した場合でも、帯状体１０の長さが調整可能となり収容部２の物品Ａ〜Ｃを固定することができる。
【００４９】
このように、収容部２に収容された物品の容量が変化した場合でも、リュックサック１を背負った使用者の背中に物品を押し付けるようにして固定することができる。このため、収容部２に収容された物品の揺れの発生を抑えることができ、物品の揺れることで左右一対の肩ベルト５Ｒ，５Ｌにかかる使用者への負担を低減できるので、長時間使用しても遊技者への負担の少ないリュックサック１とすることができる。
【００５０】
以下、使用者の体形に合わせて前記左右一対の肩ベルト同士の間隔を調整可能とした肩ベルト調整手段を、図６を用いて説明する。図６はリュックサック１の肩ベルト５Ｒ，５Ｌへの取り付け及び肩ベルト調整手段の構成を説明する図である。
【００５１】
肩ベルト調整手段であるショルダーストラップ６は、図６（ａ）に示すように、使用者がリュックサック１を背負ったときに、使用者の体形に合わせて肩ベルト５Ｒ，５Ｌの間隔を調整できる位置に取り付けられる。すなわち、リュックサック１の使用者の体形は各人異なり、例えば、規格化されたリュックサック１を背負った場合、肩ベルト５Ｒ，５Ｌが使用者の肩幅にフィットすることはまれである。
【００５２】
そのため、使用者の首の後ろの肩位置近傍の肩ベルト５Ｒ，５Ｌにショルダーストラップ６を装着することで、例えば、肩幅の狭い使用者がリュックサック１を背負った場合でも、使用者の肩位置に合わせて、肩ベルト５Ｒ，５Ｌの間隔を狭くするように固定されるので、肩ベルト５Ｒ，５Ｌが広がって、使用者の肩からずり落ちることを防止することができる。
【００５３】
そして、図６（ｂ）に示すように、ショルダーストラップ６は、弾性体６ａと、巻き付けベルト６ｃ，６ｃとにより構成される。弾性体６ａは、例えば、伸縮性のあるゴム等で輪状に形成されている。そして、弾性体６ａと巻き付けベルト６ｃ，６ｃとは、弾性体６ａの両端に設けられたテープアジャスター６ｂ，６ｂにより連結されている。そして、巻き付けベルト６ｃ，６ｃを、取り付ける位置の肩ベルト５Ｒ，５Ｌの幅に合わせてテープアジャスター６ｂ，６ｂに折り返して連通させて巻きつける。
【００５４】
また、巻き付けベルト６ｃ，６ｃをテープアジャスター６ｂ，６ｂに折り返し連通したときに対向する面には、面ファスナー６ｅ、６ｅが設けられている。そして、巻き付けベルト６ｃ，６ｃをテープアジャスター６ｂ，６ｂに折り返し連通した後に、面ファスナー６ｅ、６ｅ同士を貼り付けることで、肩ベルト５Ｒ，５Ｌの任意の位置にショルダーストラップ６を固定することができる。
【００５５】
また、中央の弾性体６ａは、カバー６ｄに覆われており、カバー６ｄには、弾性体６ａに着脱自在とした面ファスナー６ｅが設けられている。このカバー６ｄは、弾性体６ａが直接使用者の体（つまり、首の後ろなど）に触れることを防止するためのものであり、吸汗性に優れた素材が用いられる。
【００５６】
なお、近年では、使用者がリュックサック１を背負った時に、使用者の体の前面で左右一対の肩ベルト５Ｒ，５Ｌの間隔が広がらないように固定する肩ベルト固定器具が用いられることがある。これは、上述したショルダーストラップ６と同様に、使用者の肩位置に合わせて、肩ベルト５Ｒ，５Ｌの間隔を狭くするように固定する機能を備えたものである。しかし、この肩ベルト固定器具は、使用者がリュックサック１を背負った後に使用者の体の前面で、肩ベルト５Ｒ，５Ｌを固定するために肩ベルト固定器具を連結し、使用者がリュックサック１を降ろすときには、肩ベルト固定器具の連結を解除しないとリュックサック１を降ろすことができない。
【００５７】
これに対して、本考案のショルダーストラップ６は、一旦使用者の肩幅に合わせて取り付けた後は、リュックサック１を背負ったり降ろしたりするときでも、上記肩ベルト固定器具のように連結したり連結を解除したりする必要がなく、余計な手間を省くことができるので使い勝手がよい。
【００５８】
上述してきたように、本考案のリュックサック１は、物品保持手段である帯状体１０により、収容部２の物品を固定して保持することで、使用者が当該リュックサック１を背負って歩行や軽いランニング等を行ったときの、収容部内での物品の揺れを抑えることができ、これにより、使用者の肩への負担を少なくすることができる。また、収容部の物品は、使用者の背中に押し付けるように保持されるので使用者の背中と一体化して物品の重さを感じないため、長時間背負っても疲れないリュックサック１とすることができる。
【００５９】
また、使用者の首の後ろの肩位置近傍に、左右一対の肩ベルト５Ｒ，５Ｌ同士の間隔を調整可能としたショルダーストラップ６を装着することができるので、使用者の肩幅等の体形に合わせて、左右一対の肩ベルト５Ｒ，５Ｌ同士の間隔を調整できる。これにより、使用者の肩に左右一対の肩ベルト５Ｒ，５Ｌをフィットさせることができる。
【００６０】
また、本実施例においては、帯状体１０を構成する左右一対の帯状体１０Ｌ，１０Ｒに使用する一対の係止具として、雌雄一対の合成樹脂製のテープアジャスターバックルを用いたが、これに限らず、帯状体１０Ｌ，１０Ｒの一端側と他端側とを連結及び連結の解除ができるものであればよい。
【符号の説明】
【００６１】
１    リュックサック
２    収容部
２ａ  当接面
２ｂ  主収容部
２ｃ  外カバー
２ｄ  支持底部
２ｅ  内面
３    外部ポケット
５Ｒ  肩ベルト
５Ｌ  肩ベルト
６    ショルダーストラップ
８    線ファスナー
１０  帯状体
１０Ｌ  帯状体
１０Ｒ  帯状体
１１ａ  雌部
１１ｂ  雄部
１１ｃ  調整部
１２ａ  雌部
１２ｂ  雄部
１２ｃ  調整部
１３ａ〜１３ｅ  連結ベルト
１４  底部ベルト
【図１】
0003161935.tif 000003
【図２】
0003161935.tif 000004
【図３】
0003161935.tif 000005
【図４】
0003161935.tif 000006
【図５】
0003161935.tif 000007
【図６】
0003161935.tif 000008